(57)【要約】      （修正有）【課題】体積が大変小さく、組立しやすく、コストが比較的低く、作業時間が比較的短い指紋フラッシュドライブの構造を提供する。【解決手段】主に一つの回路基板１０、一つの外ケースと一つの指紋識別器３０で構成する指紋フラッシュドライブ１００の構造である。外ケースを回路基板の外周りに覆い、外ケースの後端と回路基板と共に一つのコネクタを形成し、指紋識別器と回路基板は電気接続し、且つ外ケースの前表面に固設する。本考案の指紋フラッシュドライブは指紋識別器を外ケースの前表面に固設することを介し、従来技術の指紋識別器を外ケースの上表面に設けるものと比べ、更に体積を縮小しやすく、ユーザーがスムーズにタッチして感知しやすくなる。【選択図】図２
0003209578.tif 000002
【実用新案登録請求の範囲】
【請求項１】
一つの回路基板、一つの外ケース及び一つの指紋識別器を含み、
該外ケースは回路基板の外周りを覆い、外ケースの後端と回路基板と共に一つのコネクタを形成し、
該指紋識別器と回路基板は電気接続し、且つ外ケースの前表面に固設することを特徴とする指紋フラッシュドライブの構造。
【請求項２】
前記外ケースに含まれるのは一つの固持シート、一つのシェードケース、一つの固定台及び一つの前蓋であり、
前記固持シート、シェードケース、固定台と前蓋の上には、それぞれ対応するフックと穴を設け、前記回路基板を固持シート内に収容し、前記シェードケースは前後貫通し、シェードケースはフックを用いた固定方法で固持シート後部の外周りに套設し、且つ回路基板及び固持シートの後部と共に前記のコネクタを形成し、
前記固定台をシェードケース体及び固持シート前部の外周りに設け、前記前蓋を固持シートの前端に設け、且つ固定台はフックを用いて固接し、前蓋の中部に一つの収容穴を設け、前記指紋識別器を収納穴内に設置することを特徴とする請求項１記載の指紋フラッシュドライブの構造。
【請求項３】
前記前蓋に一つの前蓋ベースを具有し、前蓋ベースの後ろ表の中央に一つの固持凹槽を設け、前記収容穴は固持凹槽の前壁から前向きに開設し、前蓋ベースを固持シートの前端に設け、前記固持シートの前端を固持凹槽内に収容することを特徴とする請求項２記載の指紋フラッシュドライブの構造。
【請求項４】
前記前蓋ベースの後表面の固持凹槽の両サイドには、いずれも後ろに一つのサイドフックを突出し、
前記固定台に含まれるのは一つの固定ベースであり、固定ベースの中間に一つの固定収容槽を開設し、前記固定ベースの前表面の固定収容槽の左右両サイドからそれぞれ前向きに一つの固定サイドボードを突出し、前記二つの固定サイドボードにいずれも一つの第三掛合穴を設け、前記シェードケースの前端は固定収容槽内に収容し、前記二つの固定サイドボードをそれぞれ固持シート前部の両サイドに設け、前記二つのサイドフックをそれぞれ一つの第三掛合穴内に固設することを特徴とする請求項３記載の指紋フラッシュドライブの構造。
【請求項５】
前記固持シートに一つの固持ベースを具有し、固持ベースの前表面の収容穴に対応する部分に一つのリミット溝を開設し、リミット溝の底面の中央にリミット溝と連通する一つのスロットを設け、
前記固持ベースの後表面の両サイドの下部はいずれも後ろに向って一つの固持サイドボードを突出し、前記二つの固持サイドボードの上表面の前部の間に、一つの上固持ボードを接続し、二つの固持サイドボードの上表面の後部にいずれも一つの第一切欠口を設け、二つの固持サイドボードの下表面の後部にいずれも一つの第二切欠口を設け、二つの固持サイドボードの後端縁の間に一つの接続ボードを接続し、二つの固持サイドボードは第二切欠口の後部の間に一つの下固持ボードを接続し、
前記固持ベースと二つの固持サイドボード、上固持ボード、下固持ボードと接続ボードが囲って間に一つの収容スペースを形成し、
前記回路基板に含まれるのは一つのフレキシブル回路基板、一つのリジッド回路基板と一つの強化ボードであり、前記リジッド回路基板を収容スペース内に設置し、前記強化ボードをリミット溝内に設置し、前記フレキシブル回路基板をスロット内に収容し、フレキシブル回路の一端をリジッド回路基板に固設し、且つリジッド回路基板と電気接続し、フレキシブル回路基板の別端を強化ボードの後表面に設け、且つ強化ボードと固接し、前記指紋識別器を強化ボードの前方に設け、且つフレキシブル回路基板と電気接続することを特徴とする請求項２記載の指紋フラッシュドライブの構造。
【請求項６】
前記シェードケースは一つの金属ボードで囲って形成し、それに含まれるのは一つのトップシェードボード、一つのアンダーシェードボードと二つのシェードサイドボードであり、前記トップシェードボードを上固持ボードの上表面の前部に設け、アンダーシェードボードを下固持ボードの下表面に設け、アンダーシェードボードの前端縁は二つの切欠口の前壁に抵触し、前記二つのシェードサイドボードはそれぞれ二つの固持サイドボードの外表面に設けることを特徴とする請求項５記載の指紋フラッシュドライブの構造。
【請求項７】
前記外ケースは更に一つの中ケースを含み、前記中ケースを固定台と前蓋との間の外周りに套設することを特徴とする請求項２記載の指紋フラッシュドライブの構造。
【請求項８】
更に回路基板と接続する一つの指示ランプを含み、前記外ケースの頂面の中央に一つの穴を設け、前記指示ランプを穴内に設置することを特徴とする請求項１記載の指紋フラッシュドライブの構造。
【考案の詳細な説明】
【技術分野】
【０００１】
本考案は一種のフラッシュドライブの構造に関し、特に指紋を識別できる指紋フラッシュドライブの構造に関する。
【背景技術】
【０００２】
従来技術の指紋フラッシュドライブに含まれるのは回路基板、回路基板の外周りを覆う外ケース、及び指紋識別器である。前記指紋識別器は、粘着の方法を用いてケースの上表面に設け、且つ回路基板と接続する。指紋フラッシュドライブの外ケースは複数の部品を含み、各部品の間は、通常は粘着の方法を用いて組立固接する。このような組立方法では、指紋識別器を汚しやすく、指紋識別器の損壊を招き、且つ組立が面倒であり、コストが比較的高く、作業時間が比較的長くなる。また、指紋識別器をケースの上表面に設けるため、指紋識別器には一定の面積が必要である。従って指紋フラッシュドライブの体積は通常比較的大きく、その体積を縮小するのは難しいことを鑑みて、更なる改善が必要であった。
【先行技術文献】
【特許文献】
【０００３】
【特許文献１】特表2006-514348号公報
【考案の概要】
【考案が解決しようとする課題】
【０００４】
前記従来技術の欠点と不足を解決するため、本考案では体積が大変小さく、組立しやすく、コストが比較的低く、作業時間が比較的短い指紋フラッシュドライブの構造を提供することを主な課題とする。
【課題を解決するための手段】
【０００５】
上述の目的を解決するために、本考案は指紋フラッシュドライブの構造を提供するものである。それに含まれるのは一つの回路基板、一つの外ケースと一つの指紋識別器である。前記外ケースは回路基板の外周りを覆い、外ケースの後端と回路基板と共に一つのコネクタを形成し、前記指紋識別器と回路基板が電気接続して外ケースの前表面に固設する。
【０００６】
前記のように、本考案の指紋フラッシュドライブは指紋識別器を外ケースの前表面に固設することを介し、従来技術の指紋識別器を外ケースの上表面に設けるのと比べると、より体積を縮小することができ、該指紋識別器の体積は小さく、ユーザーがスムーズにタッチして感知しやすくなる。
【考案の効果】
【０００７】
本考案の構造により、指紋フラッシュドライブの体積を小さく縮小することができ、ユーザーがスムーズにタッチして感知しやすくなる。
【図面の簡単な説明】
【０００８】
【図１】本考案の指紋フラッシュドライブの立体図である。
【図２】本考案の指紋フラッシュドライブの立体分解図である。
【図３】本考案の指紋フラッシュドライブの別の角度から見た立体分解図である。
【図４】本考案の指紋フラッシュドライブに固定台、中ケースのない立体図である。
【図５】本考案の指紋フラッシュドライブに中ケースのない立体図である。
【図６】本考案の指紋フラッシュドライブに中ケースのない別の角度から見た立体図である。
【図７】本考案の指紋フラッシュドライブに前蓋のない立体図である。
【考案を実施するための形態】
【０００９】
以下、本考案の構造と特徴および効果を、最良実施例と図面を参照しながら詳細に説明する。
【実施例】
【００１０】
図１及び図２が示すように、本考案の指紋フラッシュドライブ１００に含まれるのは回路基板１０、外ケース２０、一つの指紋識別器３０と一つの指示ランプ４０である。
【００１１】
図２に示すように、前記回路基板１０に含まれるのは一つのリジッド回路基板１１、一つのフレキシブル回路基板１２と一つの強化ボード１３である。
【００１２】
図２及び図３に示すように、前記外ケース２０に含まれるのは一つの固持シート２１、一つのシェードケース２２、一つの固定台２３、一つの前蓋２４と一つの中ケース２５である。前記固持シート２１、シェードケース２２、固定台２３と前蓋の上に、互いに掛合するフックと穴を設ける。
【００１３】
引き続き図２及び図３に示すように、前記固持シート２１に含まれるのは一つの固持ベース２０１、固持ベース２０１の前表面に設ける一つのリミット溝２０２、固持ベース２０１の後ろ表面の両サイドの下部にいずれも後ろに突出して一つの固持サイドボード２０３が伸びる。固持ベース２０１の底面の中央部にリミット溝２０２と連通する一つのスロット２０４である。前記二つの固持サイドボード２０３の上表面の前部の間に、一つの上固持ボード２０５を接続し、上固持ボードの前部に一つの第一貫通穴２０６を設ける。二つの固持サイドボード２０３の上表面の後部にいずれも一つの第一切欠口２０７を設け、二つの固持サイドボード２０３の下表面の後部にいずれも一つの第二切欠口２０８を設け、前記二つの固持サイドボード２０３の後端縁の間に一つの接続ボード２０９を接続し、二つの固持サイドボード２０３は第二切欠口２０８の後部の間に、一つの下固持ボード２１０を接続する。前記上固持ボード２０５の頂面は第一貫通穴２０６の左右両サイドにそれぞれ一つの第一フック２１１を突出して設ける。上固持ボード２０５の頂面の左右両サイドの第一フック２１１の前部分にそれぞれ一つの第二フック２１２を突出して設ける。前記固持ベース２０１と二つの固持サイドボード２０３、上固持ボード２０５、下固持ボード２１０と接続ボード２０９が囲って一つの収容スペース２１３を形成する。 
【００１４】
前記シェードケース２２は前後が貫通する長方体状を呈す。シェードケース２２は一つの金属ボードが囲って成型し、一つのトップシェードボード２２１、一つのアンダーシェードボード２２２と二つのシェードサイドボード２２３を含む。前記トップシェードボード２２１の前部の両サイドにそれぞれ一つの第一掛合穴２２４を設け、トップシェードボード２２１の前部の二つの第一掛合穴２２４の間に、一つのトップシェードボード２２１の前表面を貫通する第一スロット２２５を設ける。
【００１５】
前記固定台２３に含まれるのは一つの固定ベース２３１、固定ベース２３１の中央に設ける一つの固定収容槽２３０、固定ベース２３１の前表面の上方向の前に突出して一つのトップボード２３２が伸び、固定ベース２３１の前表面の下方向の前に突出して一つの底ボード２３３が伸び、固定ベース２３１の前表面の左右両サイドからそれぞれ前に突出してトップボード２３２及び底ボード２３３の両サイドと接続する一つの固定サイドボード２３４である。前記トップボード２３２の中央にトップボード２３２の前表面を貫通する一つの第二スロット２３５を設け、トップボード２３２は第二スロット２３５の両サイドにそれぞれ一つの設置槽２３６を設ける。前記トップボード２３２の上表面の第二スロット２３５の両サイドにそれぞれ一つの第二掛合穴２３７を設け、前記二つの固定サイドボード２３４の上にそれぞれ一つの第三掛合穴２３８を設け、前記底ボード２３３の上に一つの底ボード切欠口２３９を設ける。
【００１６】
前記前蓋２４は一つの前蓋ベース２４１を具有し、前蓋ベース２４１の後ろ表面の中央に一つの固持凹槽２４２を設け、固持凹槽２４２の前壁から前向きに前蓋ベース２４１の前表面を貫通する一つの収容穴２４３を設ける。前蓋２４の後ろ表面の固持凹槽２４２の両サイドからは、いずれも後ろに突出して一つのサイドフック２４４を設ける。該中ケース２５は矩形の枠状を呈し、中ケース２５の頂面の中央に一つの穴２６を設ける。
【００１７】
前記指示ランプ４０に含まれるのは一つの光源４１と一つの透光部品４２である。前記透光部品４２に含まれるのは一つの透光ベース４２１であり、透光ベース４２１の上表面の中央から上向きに一つの円柱型の凸柱４２２が伸び、透光ベース４２１の両サイドはいずれも下向きに一つのピン４２３が伸びる。
【００１８】
図１から図７に示すように、本考案の指紋フラッシュドライブ１００を組立てる際、外ケース２０の固持シート２１は回路基板１０の外周りを覆う。具体的にリジッド回路基板１１を固持シート２１の収容スペース２１３内に設置し、強化ボード１３をリミット溝２０２内に設置する。フレキシブル回路基板１２をスロット２０４内に収容する。フレキシブル回路基板１２の一端をリジッド回路基板１１に固設し、且つリジッド回路基板１１と電気接続する。フレキシブル回路基板１２の別端を強化ボード１３の前表面に設置し、且つ強化ボード１３と固接する。
【００１９】
外ケース２０の後端と回路基板１０と共に一つのコネクタ５０を形成する。具体的にシェードケース２２はフックを用いた固定方法で固持シート２１の後部の外周りに套設し、且つリジッド回路基板１１及び固持シート２１の後部と共に前記のコネクタ５０を形成する。更に、トップシェードボード２２１を上固持ボード２０５の上表面の前部に設け、第一フック２１１を第一掛合穴２２４内に掛合し、アンダーシェードボード２２２を下固持ボード２１０の下表面に設け、アンダーシェードボード２２２の前端縁を二つの第二切欠口２０８の前壁に抵触し、二つのシェードサイドボード２２３をそれぞれ二つの固持サイドボード２０３の外表面に設ける。
【００２０】
固定台２３をシェードケース２２及び固持シート２１の前部の外周りに設ける。具体的に、シェードケース２２の前端を固定収容槽２３内に収容し、トップボード２３２、底ボード２３３と二つの固定サイドボード２３４をそれぞれ上固持ボード２０５、下固持ボード２１０と二つの固持サイドボード２０３の外側に設け、底ボード切欠口２３９の前壁は第二切欠口２０８の後壁に抵触する。第二スロット２３５と第一貫通穴２０６と第一スロット２２５は対応して連通し、二つの第二フック２１２はそれぞれ第二掛合穴２３７内に掛合する。
【００２１】
前蓋２４を固持シート２１の前端に設け、且つ固定台２３とはフックを用いた方法で固接する。具体的に、前蓋ベース２４１を固持シート２１の前端に設け、固持ベース２０１の前端を固持凹槽２４２内に収容する。収容穴２４３とリミット溝２０２は互いに対応し、二つのサイドフック２４４はそれぞれ一つの第三掛合穴２３８内に掛合する。指紋識別器３０と回路基板１０は電気接続し、且つ外ケース２０の前表面に固設する。具体的に、指紋識別器３０を強化ボード１３の前方の収容穴２４３内に設置し、且つフレキシブル回路基板１２と電気接続する。
【００２２】
光源４１をリジッド回路基板１１の上表面の前部に設け、且つ第一貫通穴２０６、第一スロット２２５と第二スロット２３５の下方に位置する。透光ベース４２１を第二スロット２３５内に収容し、二つのピン４２３をそれぞれ一つの設置槽２３６内に挿して設置する。中ケース２５を固定ベース２３１と前蓋２４の間の外周りに套設する。具体的に、
中ケース２５を固定台２３のトップボード２３２、底ボード２３３と二つの固定サイドボード２３４の外周りに套設する。凸柱４４を穴２６内に収容し、光源４１は透光ベース４２１と凸柱４２２を通じて、ユーザーが使用する際に信号を提供する。
【００２３】
前述のように、本考案の指紋フラッシュドライブ１００は指紋識別器３０を外ケース２０の前表面に固設することを介し、従来技術の指紋識別器３０を外ケース２０の上表面に設けるのと比べ、より体積を縮小しやすい。該指紋識別器３０の体積は大変小さく、ユーザーがスムーズにタッチして感知しやすい。また、固持シート２１、シェードケース２２、固定台２３と前蓋２４に互いに掛合するフックと穴を設け、それらは互いにフックと穴を用いて組み合わせるため、組立てる過程において、接着剤を使用する必要がなく、製品のクォリティをアップし、生産コストと作業時間を減少する。
【符号の説明】
【００２４】
１００    フラッシュドライブ          
１０      回路基板
１１      リジッド回路基板          
１２      フレキシブル回路基板
１３      強化ボード              
２０      外ケース
２１      固持シート              
２０１    固持ベース
２０２    リミット溝            
２０３    固持サイドボード
２０４    スロット                
２０５    上固持ボード
２０６    第一貫通穴          
２０７    第一切欠口   
２０８    第二切欠口            
２０９    接続ボード
２１０    下固持ボード            
２１１    第一フック
２１２    第二フック            
２１３    収容スペース
２２      シェードケース              
２２１    トップシェードボード
２２２    アンダーシェードボード            
２２３    シェードサイドボード
２２４    第一掛合穴            
２２５    第一スロット
２３      固定台              
２３０    固定収容槽
２３１    固定ベース            
２３２    トップボード
２３３    底ボード                
２３４    固定サイドボード
２３５    第二スロット            
２３６    設置槽
２３７    第二掛合穴            
２３８    第三掛合穴
２３９    底ボード切欠口            
２４      前蓋
２４１    前蓋ベース            
２４２    固持凹槽
２４３    收容槽              
２４４    サイドフック
２５      中ケース                
２６      穴
３０      指紋識別器          
４０      指示ランプ
４１      光源                
４２      透光部品
４２１  透光ベース
４２２  凸柱
４２３  ピン
５０    コネクタ
【図１】
0003209578.tif 000003
【図２】
0003209578.tif 000004
【図３】
0003209578.tif 000005
【図４】
0003209578.tif 000006
【図５】
0003209578.tif 000007
【図６】
0003209578.tif 000008
【図７】
0003209578.tif 000009